(57)【要約】      （修正有）【課題】ＬＥＤ管の落下事故防止と高着脱難度型のソケットカバー型固定部を有するＬＥＤ管用固定器具を提供する。【解決手段】少なくとも片側に電極を有する直管型ＬＥＤランプの一端を支持する支持部１１と、前記支持部１１を連結し、前記一端を接続するソケットに被せて前記ソケット又は灯具に固定する固定部１２とを備えることを特徴とする直管型ＬＥＤランプ用固定器具１とする。支持部１１は、前記一端を収納する円筒部材であってもよい。又支持部１１は、前記一端を拘束するベルトで固定してもよい。【選択図】図１
0003179728.tif 000002
【実用新案登録請求の範囲】
【請求項１】
少なくとも片側に電極を有する直管型ＬＥＤランプの一端を支持する支持部と、
前記支持部を連結し、前記一端を接続するソケットに被せて前記ソケット又は灯具に
固定する固定部とを備えることを特徴とする直管型ＬＥＤランプ用固定器具。
【請求項２】
前記支持部は、前記一端を収納する円筒部材であることを特徴とする請求項１記載の直
管型ＬＥＤランプ用固定器具。  
【請求項３】
前記支持部は、前記一端を拘束するベルトであることを特徴とする請求項１記載の直管型ＬＥＤランプ用固定器具。    
【請求項４】
前記支持部は、前記一端を拘束するチェーンであることを特徴とする請求項１記載の直
管型ＬＥＤランプ用固定器具。
【請求項５】
前記固定部は、工具を用いて締結可能な締結具により前記ソケット又は前記灯具に固定されることを特徴とする請求項１〜４記載の直管型ＬＥＤランプ用固定器具。
【考案の詳細な説明】
【技術分野】
【０００１】
本考案は、直管型ＬＥＤランプ用固定器具に関する。          
【背景技術】
【０００２】
近年照明業界では、従来の蛍光管から長寿命で省エネルギー効果を有するLED光源を使用した製品が台頭してきている。
ガラス管を用いる蛍光灯では使用中における管変形の心配は無かったが、蛍光灯用ソケ
ット対応型の樹脂管を用いた直管型ＬＥＤランプ（以下、これをLED管と言う。）、が誕
生し普及すると共に、電子回路付きＬＥＤ管を既存の蛍光灯灯具に調査不足状態で装着
した場合に生じる電子回路不適合による事故や使用環境に起因する変形等による落下事
故等の問題が発生している。
光線透過率の良い肉薄パイプの使用や電子回路内臓による自重の増加などを含む前記変形問題は、例えば直径の１／４の範囲で全長を覆うアルミ製放熱器を取付けるなどの方法によって変形し難い構造にする等の改善が為されているが、電子回路不適合による事故の対策はメーカー独自で行われているため不充分な物も存在している。
平成２4年6月29日付け経済産業省製品安全課が発行文書に示した「直管型LEDランプは、使用者によって取付け、又は取外すことが出来る物ではないものとしなければなりません。（一部を抜粋）」という指針（以下、これを高着脱難度化と言う。）も上記事情を考慮したものと思われる。
【０００３】
結果的に上記の改善策の一つに成ると思われる特許文献１は、ロック爪でランプの端子部を押える強固な摺れ防止機能を備えてランプの抜け落ちを防止するものであるが、上記問題発生以前の発明の為、高着脱難度化対策にはならない。
【０００４】
非特許文献１は大光電気株式会社市販のベースライトＤＢＬ−３５９６ＷＷに使っている金属ベルトを用いたＵ字型ランプ支え方式のものである。
この方式は高着脱難度化型を目指した物として評価するが、更なる対策が必要と思われる部分が含まれている。
【先行技術文献】
【特許文献】
【０００５】
【特許文献１】特開平９−３０６６２０号公報
【非特許文献】
【０００６】
【非特許文献１】ベースライトＤＢＬ−３５９６ＷＷ
【考案の概要】
【考案が解決しようとする課題】
【０００７】
本考案は上記事情を考慮して為されたもので、新規及び既存の蛍光灯用灯具に付けるＬＥＤ管用の固定器具で、ＬＥＤ管を強固に支えて落下事故を防止すると共に、ＬＥＤ管の着脱に手間がかかる構造にして高着脱難度化したものを提供することを課題とする。    
【課題を解決するための手段】
【０００８】
本考案は、筒形のＬＥＤ管支持部と固定部を樹脂で一体成形して、少なくとも片側の既存又は新規の蛍光灯用Ｇ１３型を含む蛍光灯用ソケット（以下、これをソケットという。）に被せて少なくとも1本のネジで止めるＬＥＤ管用固定器具を提供する。
ＬＥＤ管用固定器具は、内径２０ｍｍ〜４５ｍｍ、長さ１０ｍｍ〜１００ｍｍ、肉厚０．５〜３ｍｍの筒形のＬＥＤ管支持部と、塵取り形あるいはコの字型で幅２０ｍｍ〜６０ｍｍ、深さ１１〜３０ｍｍ、高さ２０ｍｍ〜７５ｍｍで肉厚０．５〜３ｍのソケットカバー型固定部とを一体成形した固定部で構成する。
【０００９】
上記ＬＥＤ管用固定器具は、ＬＥＤ管の外径と支持部の内径との間に少なくとも５ｍｍ〜２０ｍｍの差を設けてＬＥＤ管製品の直径差に対応すると共に、ＬＥＤ管用固定器具に通したＬＥＤ管を灯具ソケットに装着する時、及び固定部をソケットに被せてネジで固定する時に必要と成る余裕度を備えて尚、高着脱難度化したＬＥＤ管用固定器具となるものである。
また、例えばＧ１３型等のソケットは中心部に配置された導電部の左右両外側に空間がある構造の物が多いので、前記ソケットカバー型固定部を止めるネジの絶縁対策が容易である。
また、ソケットの樹脂製の外壁には穴加工がし易いので新規はもとより、既存の灯具への取付けも容易にできる。
【００１０】
次の考案は、前例同様の取付け機能を有するコの字形のソケットカバー形固定部と、拘束ベルト支持部を用いたべルト支持型のＬＥＤ管用固定器具を提供する。
ＬＥＤ管の少なくとも一端に設ける固定部は、コの字形あるいは塵取りの樹脂製で幅２０ｍｍ〜６０ｍｍ、深さ１１〜３０ｍｍ、高さ２０ｍｍ〜５０ｍｍで、下側中央に１２〜５６ｍｍの半円形の切欠き部を有する肉厚０．５〜３ｍｍのソケットカバー部と成る縦部と、延長部となる厚さ０．５ｍｍ〜４ｍｍ、横幅２０ｍｍ〜５６ｍｍ、長さ４０〜８０ｍｍの角板をＬ字型に繋いで一体成形したものである。
該延長部の中央には、幅５〜２０ｍｍ、高さ１ｍｍ〜７ｍｍの開口部を備えた幅９ｍｍ〜２２ｍｍ、縦７ｍｍ〜２２ｍｍ、厚さ５ｍｍ〜２０ｍｍの拘束ベルト取付け用の凸体が設けられている。
拘束ベルトを用いた支持部は、幅３ｍｍ〜１８ｍｍ、厚さ０．３ｍｍ〜３ｍｍ、長さ９０ｍｍ〜１５０ｍｍで両端に端止部と逆止部を備え、更に端止部に近い中間にベルト固定用の固定穴を有するバネ材または樹脂材を用いる。
【００１１】
本考案は、前記延長部を含む固定部をソケットに被せてネジで固定すると共に、延長部を灯具に固定する灯具固定型のもので、前記開口部を通したバネ材や樹脂材による拘束ベルト支持具を、ＬＥＤ管の外径面と該ベルト支持具内面の密着領域が最大に成るように巻き付けて（以下、これ密着巻きという。）固定するＬＥＤ管用固定器具である。
上記延長部と灯具との固定にはネジ止めが好ましいが、両面テープや接着剤を用いても良い。
拘束ベルトは図５の様な形状に成るものが好ましいが、市販の結束バンドを用いてもよい。
【００１２】
次の考案は、前実施例の固定部を使って支持部に拘束チェーンを用いるチェーン支持型にして灯具固定型のＬＥＤ管用固定器具を提供する。
チェーン支持部には、太さ１ｍｍ〜５ｍｍ、長さ５ｍｍ〜1６0ｍｍの少なくとも片側に
止め具を備えたチェーンを用いる。
【００１３】
本考案は、前例同様固定部の縦部をソケットに、延長部を灯具に夫々固定した後、前記開口部に通したチェーンをLED管に密着巻きして固定するもの、あるいは予めLED管に填め付けした公知のオーリング状の丸又は角型で太さ２〜５ｍｍ内径１２ｍｍ〜３５ｍｍのリング支持体と、上記開口部とをチェーンで結び固定してＬＥＤ管用固定器具と為すものである。
【００１４】
上述した全ての考案は、ドライバー等の工具とネジ等の締結具を用いて前記ソケットや灯具に固定する物で、離脱にもドライバー等の工具を必要とするものである。
更に支持ベルトの離脱やチェーンの離脱にもドライバー等の工具を必要とする高着脱難度化したＬＥＤ管用固定器具を提供するものである。
【００１５】
前記固定部及び一体型の筒型のランプ支持部には、透明のポリカーボネイト材やガラスを用いる事が好ましいが不透明樹脂や他の樹脂を使用しても良い。
ランプ支持部と固定部は同一素材で形成されることが好ましいが、固定部と支持部を異なる素材を組合せて使用してもよい。
尚本考案は、上記ソケットカバー型の支持部をソケット自体のカバーとして用いる事を妨げない。
【考案の効果】
【００１６】
本考案は、新規及び既存の蛍光灯用灯具に付けるＬＥＤ管用の固定器具で、ソケットに固定する固定部と筒型支持部やベルト支持部を用いて、ＬＥＤ管の落下事故を防ぐと共に、ＬＥＤ管を着脱しにくくして、脱落の危険を防止する効果がある。
【考案を実施するための形態】
【００１７】
本考案を実施例でもって説明する。
【実施例１】
【００１８】
図１は、実施例１のＬＥＤ管用固定器具１の構造を示す斜視図、図２は取付け状態を示す側面図で、図２の左側は固定部装着後の姿を示し、右側は装着途中の状態を示している。
ＬＥＤ管用固定器具１は、透明ポリカーボネイトで一体成形された内径３８ｍｍ、長さ４０ｍｍ、厚さ２ｍｍの筒形支持部１１と、幅５２ｍｍ、深さ２４ｍｍ、高さ６６ｍ、
全肉厚２ｍｍのソケットカバー型の固定部１２とネジ１２ｖにより概略構成する。
【００１９】
ＬＥＤ管用固定器具１は、既存の蛍光灯用のソケットを使った灯具に直径２８ｍｍのＬＥＤ管を取付けるもので、図２に示すようにソケット１４と面合わせした固定部１２と円筒型支持部１１とに通したＬＥＤ管１３を灯具のソケットに装着した後、固定部１２bを横移動してソケット１４bに被せて２本のネジで固定するものである。
【００２０】
本実施例は、直径２８ｍｍのＬＥＤ管１３と、内径３８ｍｍのランプ支持体１１との間には１０ｍｍの差があるが、これは前記面合わせして両側にＬＥＤ管固定器具１を通したＬＥＤ管１３を灯具のソケットに装着する時と、固定部１２をソケットに被せて装着する時に必要な余裕度である。
【００２１】
ソケットカバー型固定具１２はソケットに被せた後ネジ止め１２vする。
取外す時は、上記の逆手順で行うが、上述したＬＥＤ管用固定器具１は、上記ネジ固定することによりＬＥＤ管の変形や強い振動による落下事故防止型にして高着脱難度型と為す事を特徴とする。
【実施例２】
【００２２】
本実施例は、実施例１の固定部の構造と支持部の構造を変えて拘束ベルト支持型で灯具固定式のＬＥＤ管用固定器具２と為した物で、図３は固定部２の構造を示す斜視図、図４は拘束ベルト支持部２の構造を示す斜視図、図５はＬＥＤ管用固定器具２の取付け構造を示す断面図である。
ＬＥＤ管用固定器具２は、ソケットに被せる幅５２ｍｍ、深さ２４ｍｍ、高さ４８ｍｍで下側に直径４０ｍｍの半円形の切り欠き部を有する縦部２２ｔと、該２２tとＬ字型に繋がる幅５２ｍｍ、長さ６０ｍｍ、厚さ2ｍｍの角板形の延長部２２eとを白色のＡＢＳ樹脂で一体成形した固定部２２と、一端に端止部を、反対側端にストッパーを備えた細部幅５ｍｍで太部幅８ｍｍの２段幅を持つ、厚さ０．５ｍｍ、長さ１２０ｍｍのバネ材を用いた拘束ベルト支持部２１とにより概略構成する。
尚、上記延長部中央には、幅９ｍｍ、高さ５ｍｍの開口部２２kを備えた幅１２ｍｍ、高
さ１２ｍｍ、厚さ７ｍｍの凸体２２dが設けられている。
拘束べルトは太側端に幅１２ｍｍ、長さ３ｍｍの端止部と細側の端には５ｍｍピッチの４ｍｍ×３ｍｍで切起し１ｍｍのストッパー２１sが設けられ、更に太側の細側寄りにスッパー２１sを咥えて止める６ｍｍ×２．５ｍｍの固定穴２１kが設けられている。
【００２３】
本実施例は、縦部２２ｔを前記同様ソケットに被せてネジ止めすると共に、延長部２eを両面テープで灯具２５に固定する。  
次に、ＬＥＤ管２３を灯具のソケットに装着して、開口部２２kを通して端止部２１ｍに
よって抜け防止した拘束ベルト２１でランプ２３を密着巻きした後、固定穴２１kに通し
てストッパー２１sで固定する。
上記灯具固定型のＬＥＤ管用固定器具２は、縦部２２tの半円形切り欠き部と、ベルト支
持部２１とによって、管径の異なる多種類のＬＥＤ管に対応すると共に、ＬＥＤ管の変形や強い振動等による落下事故防止型にして高着脱難度型になることを特徴とする。
【実施例３】
【００２４】
本実施例は、前例使用の固定部２２と、ＬＥＤ管に填め付けた公知のオーリング状の支持体３１（詳細図示せず。）をチェーン支持部３１ｃで結び固定するチェーン支持型のＬＥＤ管用固定器具である。
図６は、止め板３１s付きのチェーン支持部３１cの平面図、図７はＬＥＤ管固定器具３
の取付け構造を示す断面図で有る。
実施例３は、前例で使用した固定部２２と、オーリング状の支持体３１とチェーン３１c
で概略構成する。    
【００２５】
本実施例は、太さ４φで内径２８ｍｍのオーリング状の支持体３１を、填めた直径２８ｍｍのＬＥＤ管を灯具に装着して、支持体３１と開口部３２ｋをチェーン３１cで結び、φ４ｍｍ×８ｍｍの止め輪３１wを、止め板３１ｓ二重ねてネジ３１vで固定したものである。
チェーン３１cには片端に８ｍｍ×６ｍｍのネジ付きの止め板３１sと反対側端に楕円形の止め輪３１ｗを備えた太さ５ｍｍ、長さ５０ｍｍの平型チェーンを用いる。
上記により前例同様、管径の異なる多種類のＬＥＤ管に対応すると共に、ＬＥＤ管の変形や強い振動等による落下事故防止型にして高着脱難度型になることを特徴とする。
【産業上の利用可能性】
【００２６】
本考案は、蛍光灯用の灯具に付けるＬＥＤ管用の固定器具として用いられる。
【図面の簡単な説明】
【００２７】
【図１】実施例１、ＬＥＤ管用固定器具１の構造を示す斜視図。
【図２】実施例１のＬＥＤ管用固定器具１の取付け形態を示す側面図。
【図３】実施例２の固定部２２の構造を示す斜視図。
【図４】実施例２のベルト型支持部２１の平面図。
【図５】実施例２のＬＥＤ管支持部２の取付け構造を示す断面図。
【図６】実施例３のチェーンの構造を示す平面図。
【図７】実施例３のＬＥＤ管支持具３の取付け構造を示す断面図。
【符号の説明】
【００２８】
１・・・・ＬＥＤ管用固定器具１
１１・・・支持部（円筒型）
１２・・・固定部
１２a・・・・a側の固定部
１２ｂ・・・b側の固定部
１２v・・・ネジ
１３・・・ＬＥＤ管
１４・・・ソケット
１４b・・・b側のソケット
１５・・・灯具
２・・・・ＬＥＤ管用固定器具２
２１・・・支持部（拘束ベルト）
２１ｍ・・・端止部
２１k・・・固定穴
２１s・・・ストッパー
２２・・・・固定部
２２e・・・延長部
２２t・・・縦部              
２２ｋ・・・開口部
２３・・・ＬＥＤ管
２５・・・灯具
３・・・・ＬＥＤ管固定器具３
３１・・・支持体（オーリング形）
３１c・・・支持部(拘束チェーン)
３１s・・・止め板
３１v・・・ネジ
３１w・・・留め輪
３３・・・ＬＥＤ管
３５・・・灯具
【図１】
0003179728.tif 000003
【図２】
0003179728.tif 000004
【図３】
0003179728.tif 000005
【図４】
0003179728.tif 000006
【図５】
0003179728.tif 000007
【図６】
0003179728.tif 000008
【図７】
0003179728.tif 000009